(57)【要約】【課題】制御が複雑にならずに突入電流を低減し、かつ、定常的な消費電力及び発熱を抑える。【解決手段】第１の入力端子Ｔ５１と第２の入力端子Ｔ５２に接続される交流電源の交流電圧を入力とする。交流電源の交流を整流して第１の出力端子Ｔ１５と第２の出力端子Ｔ１６との間に出力する整流回路１と、整流回路１の出力を平滑にする直列接続された第１及び第２の平滑コンデンサ２１及び２２と、一端が第１の出力端子Ｔ１５に接続され、他端が第１の平滑コンデンサ２１に接続された突入電流抑止素子である抵抗器３１と、一端が第２の出力端子Ｔ１６に接続され、他端が第２の平滑コンデンサ２２に接続された突入電流抑止素子である抵抗器３２と、を備え、第１の平滑コンデンサ２１と第２の平滑コンデンサ２２との接続点Ｔ２は、第１の入力端子Ｔ５１と第２の入力端子Ｔ５２とのいずれか一方に接続される。【選択図】図１
2016195520.tif 000002
【特許請求の範囲】
【請求項１】
第１の入力端子と第２の入力端子とに接続される交流電源の交流電圧を入力とする突入電流保護回路であって、
前記交流電源の交流を整流して第１の出力端子と第２の出力端子との間に出力する整流回路と、
前記整流回路の出力を平滑にする、直列接続された第１の平滑コンデンサ及び第２の平滑コンデンサと、
一端が前記第１の出力端子に接続され、他端が前記第１の平滑コンデンサに接続された第１の突入電流抑止素子と、
一端が前記第２の出力端子に接続され、他端が前記第２の平滑コンデンサに接続された第２の突入電流抑止素子と、
を備え、
前記第１の平滑コンデンサと前記第２の平滑コンデンサとの接続点は、前記第１の入力端子又は前記第２の入力端子のいずれか一方に接続された
突入電流保護回路。
【請求項２】
前記第１の突入電流抑止素子及び前記第２の突入電流抑止素子は、抵抗素子である
請求項１に記載の突入電流保護回路。
【請求項３】
前記第１の突入電流抑止素子及び前記第２の突入電流抑止素子は、温度の上昇に伴って抵抗値が低下する特性を有するサーミスタである
請求項１に記載の突入電流保護回路。
【請求項４】
前記整流回路は、ダイオードブリッジを含む
請求項１から請求項３のいずれか１つに記載の突入電流保護回路。
【請求項５】
請求項１から請求項４のいずれか１つに記載の突入電流保護回路の出力電圧を入力とするモータ。
【請求項６】
請求項１から請求項４のいずれか１つに記載の突入電流保護回路を有するモータ。
【請求項７】
請求項５又は６に記載のモータによって回転する羽根を有する送風装置。
【発明の詳細な説明】
【技術分野】
【０００１】
本発明は、整流回路を有する突入電流保護回路、モータ及び送風装置に関する。
【背景技術】
【０００２】
省エネルギーのため又は騒音を低くするためにモータを突入電流保護回路で駆動することがある。突入電流保護回路は、直流電源を入力とする。このため、交流電圧を直流電圧に変換する整流回路をインバータ回路の入力側に設けることがある。
【０００３】
整流回路は、ブリッジ接続されたダイオードによって、交流電圧を全波整流する。整流回路によって全波整流された電圧を平滑するために、整流回路にコンデンサが接続されることがある。このコンデンサには、電解コンデンサが用いられることがある。コンデンサは交流的にはインピーダンスが低い。このため、電源投入時の電解コンデンサ電荷が溜まってない状態では、大きな電流が瞬間的にインバータ回路に入力されることがある。この一瞬の過大な入力電流は、突入電流と呼ばれる。
【０００４】
突入電流は、インバータ回路を構成する部品の耐力を脅かす場合がある。インバータ回路を構成する部品は、例えば、電流ヒューズや整流ダイオード、電源投入をコントロールするスイッチやリレーなどである。これらの部品は、電源投入時の瞬間的な突入電流が部品の電流耐力を超えると破損することがある。例えば、電流のエネルギーでスイッチの接点が溶着することがある。
【０００５】
このような不具合発生を防止するためには、電源線に直列に、抵抗器又は温度依存性のある抵抗素子を挿入し、突入電流を抑制するように対策することが必要になる。温度依存性素子には、温度が低いときには抵抗値が大きく、温度が上昇するとともに抵抗値が下がる、ＮＴＣ特性を有するものがある。ＮＴＣ特性を有する温度依存性素子を用いることにより、突入電流を抑制することができる。
【０００６】
ＮＴＣ特性を有する温度依存性素子は、突入電流が流れた後に定常的な電流が継続して流れる場合は自己発熱によって温度が上昇するとともに抵抗値が下がり、定常的な電流が通電されることでの発熱を抑制する働きがある。しかしながら、定常的には抵抗値が下がっても抵抗値がゼロになるわけではなく、低減された抵抗値による発熱を免れることはできないのが実情である。
【０００７】
ここで、特許文献１には、突入電流が流れたあとにリレーなどで素子の両端を閉じる技術が記載されている。特許文献１に記載の技術によれば、突入電流を抑制するための素子での定常的な損失をなくすことができる。特許文献２に記載の技術も、同様に、突入電流が流れたあとにリレーなどで素子の両端を閉じる技術である。
【先行技術文献】
【特許文献】
【０００８】
【特許文献１】特許第２６３６４７５号公報
【特許文献２】特開２０１２−１１０１８３号公報
【発明の概要】
【発明が解決しようとする課題】
【０００９】
特許文献１及び特許文献２に記載の技術によれば、素子の両端を閉じるまでのタイミングを計る必要があるとともに、素子の両端を閉じるための制御回路が必要になる。このため、特許文献１及び特許文献２に記載の技術によると、制御が複雑になるとともに、部品点数が増えるという問題がある。
【００１０】
突入電流を抑制するために装備する抵抗素子などは突入電流を抑制することができる反面、定常的には不要な電力を消費するので素子の発熱などの周囲への悪影響を及ぼすことがある。
【００１１】
大きな電流を抑制するためには電流を制限するための抵抗が大きいものが必要となるがその素子を定常的に流れる電流が大きいほど素子の発熱が大きくなるので素子の抵抗値を選択するには突入電流の許容値と通電時の発熱などのバランスを確認する必要がある。
【００１２】
本発明は、上記に鑑みてなされたものであり、制御が複雑にならずに突入電流を低減し、かつ、定常的な消費電力及び発熱を抑えることのできる突入電流保護回路、モータ及び送風装置の提供を目的とする。
【課題を解決するための手段】
【００１３】
上述した課題を解決し、目的を達成するために、本発明のある態様による突入電流保護回路は、第１の入力端子と第２の入力端子とに接続される交流電源の交流電圧を入力とする突入電流保護回路であって、前記交流電源の交流を整流して第１の出力端子と第２の出力端子との間に出力する整流回路と、前記整流回路の出力を平滑にする、直列接続された第１及び第２の平滑コンデンサと、一端が前記第１の出力端子に接続され、他端が前記第１の平滑コンデンサに接続された第１の突入電流抑止素子と、一端が前記第２の出力端子に接続され、他端が前記第２の平滑コンデンサに接続された第２の突入電流抑止素子と、を備え、前記第１の平滑コンデンサと前記第２の平滑コンデンサとの接続点は、前記第１の入力端子と前記第２の入力端子とのいずれか一方に接続された突入電流保護回路である。
【発明の効果】
【００１４】
本発明にかかる突入電流保護回路、モータ及び送風装置は、制御が複雑にならずに突入電流を低減し、かつ、定常的な消費電力及び発熱を抑えることができるという効果を奏する。
【図面の簡単な説明】
【００１５】
【図１】本発明の実施の形態１にかかる突入電流保護回路の構成を示す図
【図２】本発明の実施の形態１にかかる突入電流保護回路に突入電流が印加された状態を示す図
【図３】本発明の実施の形態１にかかる突入電流保護回路に突入電流が印加された状態を示す図
【図４】本発明の実施の形態１にかかる突入電流保護回路において、電源電圧の波形と、突入電流保護回路に生じる入力電流の波形とを示す図
【図５】本発明の実施の形態１に対する比較例を示す図
【図６】図５に示す突入電流保護回路に突入電流が印加された状態を示す図
【図７】図５に示す突入電流保護回路に突入電流が印加された状態を示す図
【図８】本発明の実施の形態２にかかる突入電流保護回路の構成を示す図
【図９】本発明の実施の形態２にかかる突入電流保護回路に突入電流が印加された状態を示す図
【図１０】本発明の実施の形態２にかかる突入電流保護回路に突入電流が印加された状態を示す図
【図１１】突入電流保護回路によって突入電流を抑制したモータの例を示す図
【図１２】図１１に示すモータと、突入電流保護回路及び駆動回路との接続状態をより詳細に示す図
【図１３】突入電流保護回路を有するモータの例を示す図
【図１４】図１３に示すモータの内部をより詳細に示す図
【図１５】図１１に示すモータを用いて構成した送風装置の例を示す図
【図１６】図１３に示すモータを用いて構成した送風装置の例を示す図
【発明を実施するための形態】
【００１６】
以下に、本発明の実施の形態にかかる突入電流保護回路を図面に基づいて詳細に説明する。なお、この実施の形態によりこの発明が限定されるものではない。
【００１７】
実施の形態１．
図１は、本発明の実施の形態１にかかる突入電流保護回路の構成を示す図である。図１に示す突入電流保護回路１００は、第１の入力端子である入力端子Ｔ５１と第２の入力端子である入力端子Ｔ５２との間に入力される交流電圧を入力とする。
【００１８】
図１において、突入電流保護回路１００は、入力端子Ｔ５１と入力端子Ｔ５２との間に接続される交流電源１０による交流電圧を整流する。交流電源１０は、例えば、商用電源である。
【００１９】
突入電流保護回路１００は、ブリッジ状に接続されたダイオードによって構成されたダイオードブリッジを有する整流回路１と、整流回路１の出力を平滑して電圧リップルの少ない直流を生成するための平滑コンデンサ２と、整流回路１と平滑コンデンサ２との間に設けられた抵抗器３１及び３２とを備える。突入電流保護回路１００は、倍電圧整流回路として動作する。
【００２０】
整流回路１は、ダイオード１１，１２，１３及び１４から構成されるダイオードブリッジを有する。整流回路１は、入力端子Ｔ５１と入力端子Ｔ５２とに接続される交流電源の交流電圧を入力とする。整流回路１は、交流電源の交流を整流して第１の出力端子である出力端子Ｔ１５と第２の出力端子である出力端子Ｔ１６との間に出力する。
【００２１】
ダイオード１１は、アノードが入力端子Ｔ５１に接続され、カソードがダイオードブリッジの出力端子Ｔ１５に接続されている。ダイオード１２は、アノードが入力端子Ｔ５２に接続され、カソードがダイオードブリッジの出力端子Ｔ１５に接続されている。ダイオード１３は、アノードがダイオードブリッジの出力端子Ｔ１６に接続され、カソードが入力端子Ｔ５１に接続されている。ダイオード１４は、アノードがダイオードブリッジの出力端子Ｔ１６に接続され、カソードが入力端子Ｔ５２に接続されている。
【００２２】
また、ダイオード１１のアノードとダイオード１３のカソードとが接続され、ダイオード１２のアノードとダイオード１４のカソードとが接続されている。
【００２３】
平滑コンデンサ２は、整流回路１の出力側に設けられている。平滑コンデンサ２は、ダイオードブリッジの出力端子Ｔ１５、出力端子Ｔ１６から出力端子Ｔ２１、出力端子Ｔ２２へ向かう信号線に挿入されている。平滑コンデンサ２は、一端が出力端子Ｔ２１に接続され、他端が出力端子Ｔ２２に接続されている。出力端子Ｔ２１と出力端子Ｔ２２との間には、負荷４が接続される。負荷４は、例えば、モータを駆動する駆動回路である。
【００２４】
突入電流保護回路１００は、平滑コンデンサ２によって平滑した電圧を負荷４に与える。平滑コンデンサ２は、第１の平滑コンデンサである平滑コンデンサ２１と第２の平滑コンデンサである平滑コンデンサ２２とを有する。平滑コンデンサ２１と平滑コンデンサ２２とは、直列接続されている。平滑コンデンサ２１及び平滑コンデンサ２２は、整流回路１の出力を平滑にする。
【００２５】
第１の平滑コンデンサ２１と第２の平滑コンデンサ２２との接続点Ｔ２は、本例では、第２の入力端子Ｔ５２に接続されている。接続点Ｔ２は、第１の入力端子Ｔ５１と第２の入力端子Ｔ５２とのいずれか一方に接続される。つまり、接続点Ｔ２は、第２の入力端子Ｔ５２に接続されずに、第１の入力端子Ｔ５１に接続されていてもよい。
【００２６】
抵抗器３１は、一端がダイオードブリッジの出力端子Ｔ１５に接続され、他端が第１の平滑コンデンサ２１に接続されている。抵抗器３２は、一端がダイオードブリッジの出力端子Ｔ１６に接続され、他端が第２の平滑コンデンサ２２に接続されている。抵抗器３１，抵抗器３２は、第１の突入電流抑止素子、第２の突入電流抑止素子として機能する。つまり、本実施の形態１では、第１の突入電流抑止素子及び第２の突入電流抑止素子は、ともに抵抗素子である。
【００２７】
（突入電流の経路）
図２及び図３は、本発明の実施の形態１にかかる突入電流保護回路１００に突入電流が印加された状態を示す図である。図２は入力端子Ｔ５１が正側で入力端子Ｔ５２が負側の状態を示す図、図３は入力端子Ｔ５２が正側で入力端子Ｔ５１が負側の状態を示す図である。交流電源１０の極性が変化するため、突入電流保護回路１００は、図２に示す状態と図３に示す状態とを交互に繰り返す。
【００２８】
図２に示す状態では、突入電流保護回路１００には、経路Ｒ１１に沿って入力電流Ｉ（＋）が流れる。経路Ｒ１１は、入力端子Ｔ５１からダイオード１１、抵抗器３１、平滑コンデンサ２１、接続点Ｔ２を順に経由して入力端子Ｔ５２まで流れる経路である。
【００２９】
一方、図３に示す状態では、突入電流保護回路１００には、経路Ｒ１２に沿って入力電流Ｉ（−）が流れる。経路Ｒ１２は、入力端子Ｔ５２から接続点Ｔ２、平滑コンデンサ２２、抵抗器３２、ダイオード１３を順に経由して入力端子Ｔ５１まで流れる経路である。
【００３０】
つまり、本実施の形態１では、電源を投入したときに過大な電流が流れるのを抑制するために、平滑コンデンサ２１及び２２に流入する電流の経路Ｒ１１，Ｒ１２に突入電流抑制素子である抵抗器３１，３２が直列に接続されている。本実施の形態１では、抵抗器３１．３２を介して、別々の経路Ｒ１１，Ｒ１２で平滑コンデンサ２１，２２に電荷を蓄積すなわち充電する。このため、突入電流抑制素子である抵抗器３１，３２によって、平滑コンデンサ２１，２２に関して、別々に突入電流が抑制される。
【００３１】
交流電源１０の極性が変化することにより電流の流入経路が変わる。このため、経路Ｒ１１、経路Ｒ１２それぞれについて、電源電圧Ｖの波形の半波ずつしか流れない。したがって、抵抗器３１，３２においては、電源電圧Ｖに対応する電流の１／２程度の電流で電力を消費する。
【００３２】
抵抗器３１，３２に流れる電流が１／２程度になれば、消費電力は電流の二乗に比例するため、抵抗器３１，３２における消費電力は１／４になり、消費電力が抑制されるという効果が得られる。消費電力が１／４になれば、抵抗器３１，３２における発熱を抑制できるので、より小さい定格電力の抵抗素子を抵抗器３１，３２に用いることができる。より小さい定格電力の抵抗素子を用いることにより、突入電流保護回路１００の製造コストを低減することができる。なお、抵抗器の定格電力とは、抵抗器自身の発熱によって抵抗体の温度が上昇して自分自身が劣化してしまうのを避けるために定められた、許容損失である。
【００３３】
（突入電流の波形）
図４は、本発明の実施の形態１にかかる突入電流保護回路１００において、電源電圧Ｖの波形と、突入電流保護回路１００に生じる入力電流Ｉの波形とを示す図である。図４において、電源電圧Ｖの波形は、正弦波である。
【００３４】
また、図４には、入力電流Ｉの波形を構成する、経路Ｒ１１を流れる入力電流Ｉ（＋）と、経路Ｒ１２を流れる入力電流Ｉ（−）とを示す。
【００３５】
電源電圧Ｖが入力されたときに、平滑コンデンサ２１及び２２に電荷が蓄積されていない場合、図４に示すように、入力電流Ｉ（＋）と入力電流Ｉ（−）とが交互に流れる。図４では、入力電流Ｉ（−）を反転して示す。入力電流Ｉ（＋）及び入力電流Ｉ（−）は、図４に示すように、徐々に減衰する波形となる。
【００３６】
（比較例）
ここで、図１から図４を参照して説明した突入電流保護回路１００に対する比較例について説明する。図５は、本発明の実施の形態１に対する比較例を示す図である。図６及び図７は、図５に示す突入電流保護回路１１０に突入電流が印加された状態を示す図である。図６は入力端子Ｔ５１が正側で入力端子Ｔ５２が負側の状態を示す図、図７は入力端子Ｔ５２が正側で入力端子Ｔ５１が負側の状態を示す図である。
【００３７】
図５に示す突入電流保護回路１１０は、接続点Ｔ２と入力端子Ｔ５２との間に、突入電流抑止素子３を設けた構成である。突入電流抑止素子３は、例えば抵抗器である。交流電源１０の極性が変化するため、突入電流保護回路１１０は、図６に示す状態と図７に示す状態とを交互に繰り返す。
【００３８】
図６に示す状態では、突入電流保護回路１１０には、経路Ｒ２１に沿って入力電流Ｉ（＋）が流れる。経路Ｒ２１は、入力端子Ｔ５１からダイオード１１、平滑コンデンサ２１、接続点Ｔ２、突入電流抑止素子３を順に経由して入力端子Ｔ５２まで流れる経路である。
【００３９】
一方、図７に示す状態では、突入電流保護回路１１０には、経路Ｒ２２に沿って入力電流Ｉ（−）が流れる。経路Ｒ２２は、入力端子Ｔ５２から突入電流抑止素子３、接続点Ｔ２、平滑コンデンサ２２、ダイオード１３を順に経由して入力端子Ｔ５１まで流れる経路である。
【００４０】
したがって、突入電流保護回路１１０では、図６に示す状態での経路Ｒ２１、図７に示す状態での経路Ｒ２２のいずれにおいても、突入電流抑止素子３に電流が流れる。このため、上述した消費電力が抑えられるという効果は生じない。
【００４１】
実施の形態２．
図８は、本発明の実施の形態２にかかる突入電流保護回路１２０の構成を示す図である。図８に示す突入電流保護回路１２０は、図１に示す抵抗器３１及び３２の代わりに、サーミスタ６１及び６２を突入電流抑止素子としている。
【００４２】
サーミスタ６１及び６２は、温度依存性抵抗である。サーミスタ６１及び６２は、温度の上昇に伴って抵抗値が低下するＮＴＣ（ｎｅｇａｔｉｖｅ  ｔｅｍｐｅｒａｔｕｒｅ  ｃｏｅｆｆｉｃｉｅｎｔ）特性を有する。つまり、サーミスタ６１及び６２は、定常状態において通電される電流によって発熱して温度が上昇し、抵抗値が下がる。その結果、サーミスタ６１及び６２での消費電力が下がるとともに、その発熱を下げることができる。
【００４３】
サーミスタ６１は、一端がダイオードブリッジの出力端子Ｔ１５に接続され、他端が第１の平滑コンデンサ２１に接続されている。サーミスタ６２は、一端がダイオードブリッジの出力端子Ｔ１６に接続され、他端が第２の平滑コンデンサ２２に接続されている。サーミスタ６１，６２は、第１の突入電流抑止素子，第２の突入電流抑止素子として機能する。つまり、本実施の形態２の突入電流保護回路１２０において、第１の突入電流抑止素子及び第２の突入電流抑止素子は、ともにサーミスタである。
【００４４】
なお、サーミスタ６１，６２には、例えば、Ｔｈｉｎｋｉｎｇ  Ｅｌｅｃｔｒｏｎｉｃ  Ｉｎｄｕｓｔｒｉａｌ社のＳＣＫ１５シリーズ  ＷＢ１００５２５のＮＴＣサーミスタを用いることができる。
【００４５】
（突入電流）
図９及び図１０は、本発明の実施の形態２にかかる突入電流保護回路１２０に突入電流が印加された状態を示す図である。図９は入力端子Ｔ５１が正側で入力端子Ｔ５２が負側の状態を示す図、図１０は入力端子Ｔ５２が正側で入力端子Ｔ５１が負側の状態を示す図である。交流電源１０の極性が変化するため、突入電流保護回路１２０は、図９に示す状態と図１０に示す状態とを交互に繰り返す。
【００４６】
図９に示す状態では、突入電流保護回路１２０には、経路Ｒ１１に沿って入力電流Ｉ（＋）が流れる。経路Ｒ１１は、入力端子Ｔ５１からダイオード１１、サーミスタ６１、平滑コンデンサ２１、接続点Ｔ２を順に経由して入力端子Ｔ５２まで流れる経路である。
【００４７】
一方、図１０に示す状態では、突入電流保護回路１２０には、経路Ｒ１２に沿って入力電流Ｉ（−）が流れる。経路Ｒ１２は、入力端子Ｔ５２から接続点Ｔ２、平滑コンデンサ２２、サーミスタ６２、ダイオード１３を順に経由して入力端子Ｔ５１まで流れる経路である。
【００４８】
つまり、本実施の形態２では、電源を投入したときに過大な電流が流れるのを防ぐために、平滑コンデンサ２１及び２２に流入する電流の経路Ｒ１１，Ｒ１２に突入電流抑制素子であるサーミスタ６１，６２が直列に接続されている。突入電流抑制素子であるサーミスタ６１，６２によって、突入電流が抑制される。
【００４９】
（まとめ）
以上説明した実施の形態１及び実施の形態２によれば、突入電流抑制素子を半波毎に流れる経路にそれぞれ挿入することにより、抑制するための抵抗値を大きくしても、定常的に通電される電流が低減されるので突入電流抑制素子の発熱を抑えた整流回路が実現できる。これにより、電源を投入した際の過大な電流を抑制するとともに、定常的に発生する損失をも抑制し素子の発熱による周囲への弊害を軽減しかつ信頼性を向上させることができる。したがって、電源投入時の突入電流が流れることによるヒューズ溶断、半導体素子の破損を防止し、定常的な動作時にも電流抑制素子の発熱を低減することができ、それと同時に周囲の部品への熱による悪影響を抑えることができる。
【００５０】
（モータ）
図１１は、上述した突入電流保護回路１００によって突入電流を抑制したモータ５０の例を示す図である。モータ５０は、例えば、直流ブラシレスモータである。
【００５１】
図１１において、モータ５０は、三相の巻線３００と、回転軸Ｊとを有している。モータ５０には、突入電流保護回路１００と、インバータ回路として機能する駆動回路２００とが接続される。図１１において、モータ５０は、巻線３００が発生する磁界によって回転軸Ｊを矢印Ｙの方向又はその逆の方向に回転させる。
【００５２】
図１２は、図１１に示すモータ５０と、突入電流保護回路１００及び駆動回路２００との接続状態をより詳細に示す図である。図１２において、突入電流保護回路１００の構成は、図１から図３を参照して説明した構成と同様である。駆動回路２００は、直流電圧を交流電圧に変換するためのスイッチング素子群２０１と、三相巻線３００へ供給される電流を検出する電流センサ２０２と、電流センサ２０２の検出結果に基づき、スイッチング素子群２０１を制御する制御回路２０３とを有している。
【００５３】
図１１及び図１２に示すモータ５０は、突入電流保護回路１００が接続されているため、突入電流を低減するとともに、定常的な消費電力及び発熱を抑えることができる。このため、より効率の高い制御回路を実現でき、消費電力の小さい、効率のよいモータを実現できる。
【００５４】
なお、図１１及び図１２において、突入電流保護回路１００の代わりに、図９を参照して説明した突入電流保護回路１２０を用いてもよい。
【００５５】
図１３は、上述した突入電流保護回路１００を内蔵したモータ５００の例を示す図である。モータ５００は、例えば、直流ブラシレスモータである。
【００５６】
図１３において、モータ５００は、突入電流保護回路１００と、インバータ回路として機能する駆動回路２００と、三相の巻線３００と、回転軸Ｊとを有している。図１３において、モータ５００は、巻線３００が発生する磁界によって回転軸Ｊを矢印Ｙの方向又はその逆の方向に回転させる。
【００５７】
図１４は、図１３に示すモータ５００をより詳細に示す図である。図１４において、突入電流保護回路１００の構成は、図１から図３を参照して説明した構成と同様である。駆動回路２００は、直流電圧を交流電圧に変換するためのスイッチング素子群２０１と、三相巻線３００へ供給される電流を検出する電流センサ２０２と、電流センサ２０２の検出結果に基づき、スイッチング素子群２０１を制御する制御回路２０３とを有している。
【００５８】
図１３及び図１４に示すモータ５００は、突入電流保護回路１００を有するため、突入電流を低減するとともに、定常的な消費電力及び発熱を抑えることができる。このため、より効率の高い制御回路を実現でき、消費電力の小さい、効率のよいモータを実現できる。
【００５９】
なお、図１３及び図１４において、突入電流保護回路１００の代わりに、図９を参照して説明した突入電流保護回路１２０を用いてもよい。
【００６０】
（送風装置）
図１５は、図１１に示すモータ５０を用いて構成した送風装置４００の例を示す図である。送風装置４００は、例えば、換気扇である。
【００６１】
図１５において、送風装置４００は、図１１及び図１２を参照して説明したモータ５０を有する。また、送風装置４００は、パネル４０１と、パネル４０１内に設けられてモータ５０によって駆動される回転羽根４０２とを有する。モータ５０には、図１又は図９を参照して説明した突入電流保護回路が接続される。このため、突入電流を低減するとともに、定常的な消費電力及び発熱を抑えることができる。なお、モータ５０を用いた送風装置４００は、空調装置、扇風機であってもよい。
【００６２】
突入電流保護回路が接続されたモータ５０を用いることにより、素子の損失を抑えた小型の回路を構成することができ、消費電力を低減した送風装置を実現でき、省エネルギーに貢献できる。また、周辺回路の信頼性も向上し、寿命の長い製品を実現できる。
【００６３】
図１６は、図１３に示すモータ５００を用いて構成した送風装置４００の例を示す図である。送風装置４００は、例えば、換気扇である。
【００６４】
図１６において、送風装置４００は、図１３及び図１４を参照して説明したモータ５００を有する。また、送風装置４００は、パネル４０１と、パネル４０１内に設けられてモータ５０によって駆動される回転羽根４０２とを有する。モータ５００は、内部に、図１又は図９を参照して説明した突入電流保護回路を有する。このため、突入電流を低減するとともに、定常的な消費電力及び発熱を抑えることができる。なお、モータ５００を用いた送風装置４００は、空調装置、扇風機であってもよい。
【００６５】
突入電流保護回路を内蔵するモータ５００を用いることにより、素子の損失を抑えた小型の回路を構成することができ、消費電力を低減した送風装置を実現でき、省エネルギーに貢献できる。また、周辺回路の信頼性も向上し、寿命の長い製品を実現できる。
【００６６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６７】
１  整流回路、２  平滑コンデンサ、３  突入電流抑止素子、４  負荷、１０  交流電源、１１，１２，１３，１４  ダイオード、２１，２２  平滑コンデンサ、３１，３２  抵抗器、５０，５００  モータ、６１，６２  サーミスタ、１００，１１０，１２０  突入電流保護回路、２００  駆動回路、２０１  スイッチング素子群、２０２  電流センサ、２０３  制御回路、３００  巻線、４００  送風装置、４０１  パネル、４０２  回転羽根。
【図１】
2016195520.tif 000003
【図２】
2016195520.tif 000004
【図３】
2016195520.tif 000005
【図４】
2016195520.tif 000006
【図５】
2016195520.tif 000007
【図６】
2016195520.tif 000008
【図７】
2016195520.tif 000009
【図８】
2016195520.tif 000010
【図９】
2016195520.tif 000011
【図１０】
2016195520.tif 000012
【図１１】
2016195520.tif 000013
【図１２】
2016195520.tif 000014
【図１３】
2016195520.tif 000015
【図１４】
2016195520.tif 000016
【図１５】
2016195520.tif 000017
【図１６】
2016195520.tif 000018